(57)【要約】【課題】建築物において、低コストで最適な環境を得ることを可能とする。【解決手段】アイススケートアリーナ１３にあっては、固定屋根２６を有する建屋１７内にリング形状をなすアイススケートリンク１４を設け、この固定屋根２６に可動屋根１８を昇降自在に設け、この可動屋根１８を下降してアイススケートリンク１４の周囲を覆うことで、チューブ状の閉空間部３６を形成可能とする。【選択図】        図１
2005023516.tif 000002
【特許請求の範囲】
【請求項１】
曲線部を有してリング形状をなす走路を設け、該走路における少なくとも前記曲線部の周囲を覆う被覆手段を設けたことを具えたことを特徴とする建築物。
【請求項２】
請求項１記載の建築物において、前記被覆手段は、前記走路の上方に位置する屋根部と側方に位置する縦壁部とを有することを特徴とする建築物。
【請求項３】
請求項２記載の建築物において、前記縦壁部は透明部材であることを特徴とする建築物。
【請求項４】
請求項１記載の建築物において、前記被覆手段は、前記走路の周囲を覆うことでチューブ状の閉空間部を形成することを特徴とする建築物。
【請求項５】
請求項１記載の建築物において、前記走路の上方に位置して固定屋根が設けられ、該固定屋根に前記被覆手段としての可動屋根が昇降自在に支持されたことを特徴とする建築物。
【請求項６】
請求項５記載の建築物において、前記可動屋根は、前記走路の上方に位置する屋根部と両側方に位置する一対の縦壁部とを有し、該各縦壁部の下端部は前記走路の両側に設けられた嵌合溝に嵌脱自在に支持されたことを特徴とする建築物。
【請求項７】
請求項５記載の建築物において、前記走路の外方に観覧席が設けられ、前記固定屋根は平面視がリング形状をなして前記走路及び前記観覧席の周囲を被覆し、前記可動屋根は前記固定屋根の下方で前記走路の周囲を被覆することを特徴とする建築物。
【請求項８】
請求項５記載の建築物において、前記可動屋根は複数に分割され、該分割された各可動屋根部が独立して昇降自在に支持されたことを特徴とする建築物。
【請求項９】
請求項１記載の建築物において、前記被覆手段は、断熱材により形成されたことを特徴とする建築物。
【請求項１０】
請求項１記載の建築物において、前記走路の長手方向における気流を制御する気流制御手段を設けたことを特徴とする建築物。
【請求項１１】
請求項１０記載の建築物において、前記気流制御手段は、前記走路における走行方向前方に向かって送風する送風ノズルを有することを特徴とする建築物。
【請求項１２】
請求項１０記載の建築物において、前記気流制御手段は、前記走路における走行方向と交差する方向に沿って前記被覆手段の内側に設けられた気流制御板を有することを特徴とする建築物。
【請求項１３】
請求項１記載の建築物において、前記走路は表面に所定厚さの氷が形成されたアイススケートリンクであり、該アイススケートリンクに製氷装置が付設されたことを特徴とする建築物。
【請求項１４】
請求項１３記載の建築物において、前記アイススケートリンクの表面から所定高さの表層領域に冷気を噴出する冷気噴出孔と、前記表層領域の空気を吸入する吸入孔を設けたことを特徴とする建築物。
【請求項１５】
請求項１４記載の建築物において、前記アイススケートリンクの両側部に前記表層領域の冷気の流出を阻止するエアダムが設けられたことを特徴とする建築物。
【発明の詳細な説明】
【０００１】
【発明の属する技術分野】
本発明は、リング形状をなす走路が設けられた建築物に関し、例えば、アイススケートアリーナ、陸上競技場、自転車競技場などとして利用可能なものである。
【０００２】
【従来の技術】
室内にリング形状の走路が設けられた建設物として、例えば、アイススケートアリーナがある。一般的なアイススケートアリーナは、室内の中央部にドーナッツ形状のアイススケートリンクが設けられており、このアイススケートリンクの外周部に袖壁が設けられ、その外側に観覧席が設けられて構成されている。
【０００３】
【特許文献１】
特開平０５−３２１４９６号公報
【特許文献２】
特許第２９４１６０２号公報
【特許文献３】
特許第２９３０５０４号公報
【０００４】
【発明が解決しようとする課題】
上述した従来の建築物としてのアイススケートアリーナにあっては、ドーナッツ形状のアイススケートリンクの外周部に袖壁が設けられ、その外側に観覧席が設けられて構成されており、アイススケートリンクの空間部と観覧席の空間部とは特に仕切られていない。そして、このようなアイススケートアリーナでは、スケートリンクの氷面を良質なものに保つために室内を所定の低温度に保持する必要がある。そのため、観覧席を含めた大きな室内空間のための空調設備が必要となり、設備コストやランニングコストが増大してしまうという問題がある。
【０００５】
なお、多目的に使用可能となるように床構造体を昇降可能としたものとして、特許文献１に記載された「建設物」、天井を使用目的に合せて昇降可能としたものとして、特許文献２、３に記載された「可動天井」がある。しかし、いずれの構造であっても、スケートリンクとしての走路と観客席などの室内空間とを仕切るものではなく、アイススケートアリーナなどの建築物に適用することは困難である。
【０００６】
本発明はこのような問題を解決するものであって、低コストで最適な環境を得ることができる建築物を提供することを目的とする。
【０００７】
【課題を解決するための手段】
上述の目的を達成するための請求項１の発明の建築物は、曲線部を有してリング形状をなす走路を設け、該走路における少なくとも前記曲線部の周囲を覆う被覆手段を設けたことを具えたことを特徴とするものである。
【０００８】
請求項２の発明の建築物では、前記被覆手段は、前記走路の上方に位置する屋根部と側方に位置する縦壁部とを有することを特徴としている。
【０００９】
請求項３の発明の建築物では、前記縦壁部は透明部材であることを特徴としている。
【００１０】
請求項４の発明の建築物では、前記被覆手段は、前記走路の周囲を覆うことでチューブ状の閉空間部を形成することを特徴としている。
【００１１】
請求項５の発明の建築物では、前記走路の上方に位置して固定屋根が設けられ、該固定屋根に前記被覆手段としての可動屋根が昇降自在に支持されたことを特徴としている。
【００１２】
請求項６の発明の建築物では、前記可動屋根は、前記走路の上方に位置する屋根部と両側方に位置する一対の縦壁部とを有し、該各縦壁部の下端部は前記走路の両側に設けられた嵌合溝に嵌脱自在に支持されたことを特徴としている。
【００１３】
請求項７の発明の建築物では、前記走路の外方に観覧席が設けられ、前記固定屋根は平面視がリング形状をなして前記走路及び前記観覧席の周囲を被覆し、前記可動屋根は前記固定屋根の下方で前記走路の周囲を被覆することを特徴としている。
【００１４】
請求項８の発明の建築物では、前記可動屋根は複数に分割され、該分割された各可動屋根部が独立して昇降自在に支持されたことを特徴としている。
【００１５】
請求項９の発明の建築物では、前記被覆手段は、断熱材により形成されたことを特徴としている。
【００１６】
請求項１０の発明の建築物では、前記走路の長手方向における気流を制御する気流制御手段を設けたことを特徴としている。
【００１７】
請求項１１の発明の建築物では、前記気流制御手段は、前記走路における走行方向前方に向かって送風する送風ノズルを有することを特徴としている。
【００１８】
請求項１２の発明の建築物では、前記気流制御手段は、前記走路における走行方向と交差する方向に沿って前記被覆手段の内側に設けられた気流制御板を有することを特徴としている。
【００１９】
請求項１３の発明の建築物では、前記走路は表面に所定厚さの氷が形成されたアイススケートリンクであり、該アイススケートリンクに製氷装置が付設されたことを特徴としている。
【００２０】
請求項１４の発明の建築物では、前記アイススケートリンクの表面から所定高さの表層領域に冷気を噴出する冷気噴出孔と、前記表層領域の空気を吸入する吸入孔を設けたことを特徴としている。
【００２１】
請求項１５の発明の建築物では、前記アイススケートリンクの両側部に前記表層領域の冷気の流出を阻止するエアダムが設けられたことを特徴としている。
【００２２】
【発明の実施の形態】
以下、図面に基づいて本発明の実施の形態を詳細に説明する。
【００２３】
図１に本発明の第１実施形態に係る建築物としてのアイススケートアリーナの全体構成、図２に第１実施形態のアイススケートアリーナの平面視、図３に第１実施形態のアイススケートアリーナの内部を表す平面視、図４に可動屋根の開放状態を表す図２のＡ−Ａ断面、図５に可動屋根の閉止状態を表す図２のＡ−Ａ断面、図６に第１実施形態のアイススケートアリーナのシステム構成を示す。
【００２４】
本実施形態において、図１乃至図４に示すように、所定の敷地１２内に本実施形態の建築物としてのアイススケートアリーナ１３が建設されている。このアイススケートアリーナ１３は、中央部にリング（ドーナッツ）形状をなす走路としてのアイススケートリンク１４が設けられ、アイススケートリンク１４の外方に観覧席１５と管理棟１６が隣接して設けられ、このアイススケートリンク１４及び観覧席１５、管理棟１６の周囲を覆うように建屋１７が設けられ、この建屋１７内にアイススケートリンク１４の周囲を被覆可能な被覆手段としての可動屋根１８が設けられて構成されている。
【００２５】
アイススケートリンク１４は、敷地１２上に打設されたリング状をなすコンクリート床２１上に所定厚さの氷リンク２２が形成されてなり、２つの曲線部１４ａ，１４ｂが２つの直線部１４ｃ，１４ｄにより連結された形状となっている。そして、氷リンク２２の内側に周方向に沿った配管ピット２３が形成される一方、外側に周方向に沿った袖壁２４が形成されており、このアイススケートリンク１４の中央部には開放エリア２５が設けられている。
【００２６】
観覧席１５は、アイススケートリンク１４の直線部１４ｄに隣接した傾斜面に多数のベンチを固定して設けられている。管理棟１６は、アイススケートリンク１４の直線部１４ｃに隣接して設けられており、アイススケートアリーナ１３全体の管理を行う管理室や貴賓室などが設けられている。
【００２７】
建屋１７は、図示しない多数の支柱や梁などにより支持された固定屋根２６と、周囲の縦壁２７とから構成されたリング形状をなしている。この固定屋根２６は金属屋根の内面に断熱材が装着されてなり、アイススケートリンク１４の上方を覆って内側（開放エリア２５側）に向かって下方に傾斜した下向きコ字状断面形状をなす第１固定屋根２６ａと、第１固定屋根２６ａに連続して観覧席１５の上方を覆う水平な第２固定屋根２６ｂと、第１固定屋根２６ａに連続して管理棟１６に連結されることで屋内トレーニングエリア２８を形成する第３固定屋根２６ｃとから構成されている。そして、第１固定屋根２６ａの内側、つまり、開放エリア２５側に庇２９が取付けられ、ランニングコース３０が設けられると共に、この庇２９によりアイススケートリンク１４に日差しが侵入しないようになっている。また、縦壁２７はアイススケートリンク１４のコースに沿った楕円形状をなしており、開放エリア２５に面する縦壁部３２と観覧席１５の外側の縦壁部３３が透明なガラスにより形成されると共に、図示しない多数の窓により室内に外気を導入可能となっている。
【００２８】
可動屋根１８は断熱材により形成され、アイススケートリンク１４の周囲を被覆可能なように、各曲線部１４ａ，１４ｂと各直線部１４ｃ，１４ｄに対応した２つの曲線部１８ａ，１８ｂと２つの直線部１８ｃ，１８ｄを有したリング形状をなし、氷リンク２２の上方に位置する屋根部３１と、両側方に位置してアイススケートリンク１４のコースに沿った楕円形状をなす内外一対の縦壁部３２，３３とから構成されている。この屋根部３１は断熱材により形成される一方、縦壁部３２，３３は透明部材としてのガラスにより形成されている。そして、屋根部３１には照明器具や音響機器が装備されている。
【００２９】
この可動屋根１８は、建屋１７の固定屋根２６に設けられた屋根可動装置３４により昇降自在であり、第１固定屋根２６ａの内側に設けられた収容空間部３５に収容可能な上昇位置と、アイススケートリンク１４の周囲を覆うことでチューブ状の閉空間部３６（図５参照）を形成可能な下降位置とに移動可能となっている。この屋根可動装置３４は、固定屋根２６に取付けられたウインチ３７とこのウインチ３７に巻き取られる牽引ワイヤ３８とを有しており、この牽引ワイヤ３８の先端部が可動屋根１８に連結されている。従って、図示しない操作装置によりウインチ３７を駆動して牽引ワイヤ３８を巻き取りあるいは繰り出すことで、この牽引ワイヤ３８を介して可動屋根１８を昇降することができる。
【００３０】
なお、可動屋根１８が下降してアイススケートリンク１４の周囲を覆うとき、チューブ状の閉空間部３６を気密に密閉した状態に維持する必要があることから、この可動屋根１８は、各縦壁部３２，３３の下端部が袖壁２４の上端部とコンクリート床２１の内側部分にそれぞれ形成された嵌合溝２４ａに嵌脱自在となっている。
【００３１】
ところで、本実施形態では、建築物をアイススケートアリーナ１３として適用していることから、アイススケートリンク１４を最適な状態に維持する環境設備が設けられている。図３乃至図６に示すように、アイススケートリンク１４にはリンク冷却装置（製氷装置）４１が付設されており、氷リンク２２に設けられた複数の温度センサ４２の計測結果に基づいてリンク冷却装置４１の冷凍機を稼動し、冷媒を供給して氷リンク２２を最適な氷温に制御可能となっている。そして、アイススケートリンク１４には水処理装置４３が付設されており、水質を浄化して純度の高い水を製造供給することで、表面に傷の付きにくい硬く引き締まって滑りやすい氷リンク２２を作ることができる。
【００３２】
また、アイススケートリンク１４には、可動屋根１８が下降してアイススケートリンク１４の周囲を覆ったとき、チューブ状の閉空間部３６の空調状態及び気流状態を制御する空調制御装置（気流制御手段）４４が設けられている。この空調制御装置４４は、アイススケートリンク１４の袖壁２４の内面に設けられた複数の冷気噴出孔（送風ノズル）４５と、氷リンク２２の内周部に設けられた複数の空気吸入孔４６と、冷凍機４７及びファン４８とを有している。
【００３３】
この各冷気噴出孔４５は、袖壁２４の下部にアイススケートリンク１４の周方向に所定間隔で設けられており、冷気の噴出方向が氷リンク２２における使用者の走行方向前方に向けた所定角度に設定されている。一方、各空気吸入孔４６は、氷リンク２２の内周部にアイススケートリンク１４の周方向に所定間隔で、且つ、各冷気噴出孔４５とずれた位置に設けられている。従って、空調制御装置４４により各冷気噴出孔４５からアイススケートリンク１４に冷気を噴出する一方、各空気吸入孔４６がこの冷気を含めた周囲の空気を吸引することとなり、冷気噴出孔４５からの冷気噴出速度（量）と空気吸入孔４６への空気吸引速度（量）を調整することで、アイススケートリンク１４の長手方向における気流、つまり、流速を制御することができる。
【００３４】
また、この各冷気噴出孔４５は、アイススケートリンク１４の表面から所定高さの表層領域４９に冷気を噴出するものであり、可動屋根１８の縦壁３２，３３及び袖壁２４がエアダムとして機能することで、アイススケートリンク１４上の表層領域４９の冷気の流出を阻止することができる。なお、この場合、空気吸入孔４６を冷気噴出孔４５より若干高い位置に設けることで、エアカーテン機能により表層領域４９を効率的に維持することができる。
【００３５】
また、可動屋根１８の内側には、気流制御手段として、複数の気流制御板５０が長手方向と交差する方向に沿って取付けられている。この複数の気流制御板５０により、アイススケートリンク１４を使用する人により形成される気流を抑制することができる。
【００３６】
このように構成された本実施形態のアイススケートアリーナ１３において、特に冬季など気温が低く、アイススケートリンク１４の品質維持のために冷房が不要であるときには、図４に示すように、可動屋根装置３４により可動屋根１８を上昇して固定屋根２６の収容空間部３５に移動する。そして、空調制御装置４４を停止する一方、温度センサ４２の計測結果に基づいてリンク冷却装置４１を稼動し、氷リンク２２を最適な氷温に制御する。従って、アイススケートリンク１４は、建屋１７内の大きな空間の一部となり、アイススケートを楽しむことができる。
【００３７】
一方、このアイススケートアリーナ１３において、特に夏季など気温が高く、アイススケートリンク１４の品質維持のために冷房が必要であるときには、図５に示すように、可動屋根装置３４により可動屋根１８を下降してアイススケートリンク１４の周囲を覆うことで、アイススケートリンク１４をチューブ状の閉空間部３６とする。そして、空調制御装置４４を稼動して閉空間部３６内を所定温度に調整制御する一方、温度センサ４２の計測結果に基づいてリンク冷却装置４１を稼動し、氷リンク２２を最適な氷温に制御する。
【００３８】
このとき、空調制御装置４４により各冷気噴出孔４５からアイススケートリンク１４に向けて冷気を噴出する一方、各空気吸入孔４６がこの冷気を含めた周囲の空気を吸引する。そのため、チューブ形状の閉空間部３６では、アイススケートリンク１４の表面から所定高さの表層領域４９だけ低温に維持される一方、上方はそれよりも高い温度に維持されることとなり、アイススケートリンク１４は表面が適正に維持され、使用者は快適にアイススケートを楽しむことができる。
【００３９】
このとき、空調制御装置４４により冷気噴出孔４５からの冷気噴出速度と空気吸入孔４６への空気吸引速度を調整することで、アイススケートリンク１４の長手方向における気流（流速）を制御し、使用者が追い風を受けてスケートができるように調整することができる。
【００４０】
また、季節に拘わらず、このアイススケートアリーナ１３で競技会を開催するときには、可動屋根装置３４により可動屋根１８を下降してアイススケートリンク１４の周囲を覆い、このアイススケートリンク１４をチューブ状の閉空間部３６とする共に、空調制御装置４４によりアイススケートリンク１４の長手方向における気流（流速）を調整することで、競技者に対して、追い風や向かい風を与えることができる。
【００４１】
更に、アイススケートリンク１４が可動屋根１８に被覆されているものの、縦壁部３２，３３が透明なガラスであるため、観覧席１５や管理棟１６の貴賓席にいる人は、アイススケートリンク１４上での競技を観戦することができ、この場合、建屋１７内を暖房することで、閉空間部３６に影響を与えることなく快適に観戦することができる。
【００４２】
このように本実施形態のアイススケートアリーナ１３にあっては、固定屋根２６を有する建屋１７内にリング形状をなすアイススケートリンク１４を設け、この固定屋根２６に可動屋根１８を昇降自在に設け、この可動屋根１８を下降してアイススケートリンク１４の周囲を覆うことで、チューブ状の閉空間部３６を形成可能としている。
【００４３】
従って、気温が低いときには可動屋根１８を上昇する一方、気温が高いときには可動屋根１８を下降することで、アイススケートリンク１４の周囲を覆ってチューブ状の閉空間部３６を形成し、この閉空間部３６を適正な温度に維持することとなり、大規模な冷房設備を不要として低コスト化を図ることができると共に、簡単な設備で最適な環境を得ることができる。
【００４４】
なお、上述の実施形態では、可動屋根１８をリング状に形成して可動屋根装置３４により全体を昇降自在としたが、可動屋根を分割式としても良い。図７に本発明の第２実施形態に係る建築物としてのアイススケートアリーナの全体構成を示す。
【００４５】
図７に示すように、本実施形態のアイススケートアリーナ６１は、リング（ドーナッツ）形状をなす走路としてのアイススケートリンク６２が設けられ、このアイススケートリンク６２の周囲を被覆可能な被覆手段としての可動屋根６３が設けられ、この可動屋根６３を覆う図示しない固定屋根を有する建屋が設けられて構成されている。この可動屋根６３は、２つの曲線部６３ａ，６３ｂと２つの直線部６３ｃ，６３ｄとに複数に分割されて構成され、それぞれが独立して図示しない屋根可動装置により昇降可能となっている。
【００４６】
従って、可動屋根６３を上昇してアイススケートリンク６２を開放したり、曲線部６３ａ，６３ｂだけ下降して部分的にチューブ形状をなす閉空間部を形成することができ、使用目的に合せてアイススケートリンク６２をいろいろな形態に変形することができる。
【００４７】
この場合、使用目的に合せて、分割個数を増減しても良く、また、可動屋根６３を固定屋根としたリ、曲線部６３ａ，６３ｂだけを固定屋根としても良い。
【００４８】
また、可動屋根１８や固定屋根２６を開放エリア２５を除いたリング形状としたが、可動屋根１８と固定屋根２６を楕円形状としてアイススケートリンク１４及び開放エリア２５を被覆可能としても良い。
【００４９】
更に、屋根可動装置３４をウインチ３７と牽引ワイヤ３８とにより構成したが、この構成に限らず、可動屋根を垂直レールに沿って移動自在に支持したり、油圧シリンダにより昇降自在としても良い。
【００５０】
また、上述の実施形態では、本発明の建築物をアイススケートアリーナ１３に適用して説明したが、これに限定されるものではなく、陸上競技場や自転車競技場（競輪場）などリング形状をなす走路を有する建物であれば、いずれの建築物でも適用することができる。
【００５１】
【発明の効果】
以上、実施形態を挙げて詳細に説明したように請求項１の発明の建築物によれば、曲線部を有してリング形状をなす走路を設け、この走路における少なくとも曲線部の周囲を覆う被覆手段を設けたので、走路の周囲を覆ってチューブ状の空間部を形成することで、大規模な冷房設備を不要として低コスト化を図ることができると共に、簡単な設備で最適な環境を得ることができる。
【００５２】
請求項２の発明の建築物によれば、被覆手段を、走路の上方に位置する屋根部と側方に位置する縦壁部とにより構成したので、確実に外部と区画したチューブ状の空間部を簡単な構成により形成することができる。
【００５３】
請求項３の発明の建築物によれば、縦壁部を透明部材としたので、チューブ状の空間部に対して、外部から空間部内の状況を適切に見ることができる。
【００５４】
請求項４の発明の建築物によれば、被覆手段が走路の周囲を覆うことでチューブ状の閉空間部を形成可能としたので、走路を外部から区画した閉空間部として有効的に利用することができる。
【００５５】
請求項５の発明の建築物によれば、走路の上方に位置して固定屋根を設け、この固定屋根に被覆手段としての可動屋根を昇降自在に支持したので、使用目的に合せて可動屋根を上昇したり、下降して使用することで、使用範囲を拡大して施設を有効的に使用することができる。
【００５６】
請求項６の発明の建築物によれば、可動屋根は、走路の上方に位置する屋根部と両側方に位置する一対の縦壁部とを有し、各縦壁部の下端部が走路の両側に設けられた嵌合溝に嵌脱自在に支持したので、チューブ状の空間部の強度を向上することができると共に、密閉効率を向上することができる。
【００５７】
請求項７の発明の建築物によれば、走路の外方に観覧席を設け、固定屋根は平面視がリング形状をなして走路及び観覧席の周囲を被覆し、可動屋根が固定屋根の下方で走路の周囲を被覆するので、固定屋根により施設全体を被覆して所定の環境を確保することができる共に、可動屋根により走路を被覆して所定の使用環境を維持することができる。
【００５８】
請求項８の発明の建築物によれば、可動屋根を複数に分割し、分割された各可動屋根部を独立して昇降自在に支持したので、使用目的に合せて多種類の形態に変形させることができる。
【００５９】
請求項９の発明の建築物によれば、被覆手段を断熱材により形成したので、外部の熱による走路の環境変化を防止することができる。
【００６０】
請求項１０の発明の建築物によれば、走路の長手方向における気流を制御する気流制御手段を設けたので、走路の使用形態に合せて気流を制御することで、施設の使用範囲を拡大することができる。
【００６１】
請求項１１の発明の建築物によれば、気流制御手段として、走路における走行方向前方に向かって送風する送風ノズルを設けたので、走路の気流を走路を使用する人に合せて調整することで、施設の使い易さを向上することができる。
【００６２】
請求項１２の発明の建築物によれば、気流制御手段として、走路における走行方向と交差する方向に沿って被覆手段の内側に気流制御板を設けたので、走路に発生する気流を抑制することで、気流を最小限に止めて施設の使い易さを向上することができる。
【００６３】
請求項１３の発明の建築物によれば、走路を表面に所定厚さの氷を形成したアイススケートリンクとし、このアイススケートリンクに製氷装置を付設したので、施設をアイススケートアリーナとすることで、走路をリンクとして有効的に使用することができる。
【００６４】
請求項１４の発明の建築物によれば、アイススケートリンクの表面から所定高さの表層領域に冷気を噴出する冷気噴出孔と、表層領域の空気を吸入する吸入孔を設けたので、最低限の冷房設備でリンクの氷を適正に維持することができ、設備費やランニングコストを低減することができる。
【００６５】
請求項１５の発明の建築物によれば、アイススケートリンクの両側部に表層領域の冷気の流出を阻止するエアダムを設けたので、冷気の漏洩を防止してリンクの氷を適正に維持することができる。
【図面の簡単な説明】
【図１】本発明の第１実施形態に係る建築物としてのアイススケートアリーナの全体構成図である。
【図２】第１実施形態のアイススケートアリーナの平面図である。
【図３】第１実施形態のアイススケートアリーナの内部を表す平面図である。
【図４】可動屋根の開放状態を表す図２のＡ−Ａ断面図である。
【図５】可動屋根の閉止状態を表す図２のＡ−Ａ断面図である。
【図６】第１実施形態のアイススケートアリーナのシステム構成図である。
【図７】本発明の第２実施形態に係る建築物としてのアイススケートアリーナの全体構成図である。
【符号の説明】
１３，６１  アイススケートアリーナ
１４，６２  アイススケートリンク
１４ａ，１４ｂ  曲線部
１４ｃ，１４ｄ  直線部
１７  建屋
１８  可動屋根
１８ａ，１８ｂ，６３ａ，６３ｂ  曲線部
１８ｃ，１８ｄ，６３ｃ，６３ｄ  直線部
２２  氷リンク
２６  固定屋根
２７  縦壁
３１  屋根部
３２，３３  縦壁部
３４  屋根可動装置
３５  収容空間部
３６  閉空間部
４１  リンク冷却装置（製氷装置）
４２  温度センサ
４４  空調制御装置（気流制御手段）
４５  冷気噴出孔（送風ノズル）
４６  空気吸入孔
４９  表層領域
５０  気流制御板
【図１】
2005023516.tif 000003
【図２】
2005023516.tif 000004
【図３】
2005023516.tif 000005
【図４】
2005023516.tif 000006
【図５】
2005023516.tif 000007
【図６】
2005023516.tif 000008
【図７】
2005023516.tif 000009